(57)【要約】【課題】  従来、壁面緑化用壁を施工する場合には、ウッドチップ集積板を接着剤や固定金具にて一枚一枚取り付けていたので、現場での施工に手間や時間がかかるものとなっていた。また、壁全体の重量が大きくなってしまう。【解決手段】  基材１ａの少なくとも一面にウッドチップ集積層１ｂを形成したウッドチップパネル１を、パネル枠２により複数連結してウッドチップユニット３を構成し、複数のウッドチップユニット３を積層して壁面緑化用壁を構成し、前記壁面緑化用壁は、所定間隔だけ離隔して立設された一対の支柱５を備え、前記一対の支柱５には、それぞれ対向する面に凹溝５ａが形成されており、前記複数のウッドチップユニット３の左右両端部を、一対の支柱５の凹溝５ａに順次嵌装することで、該ウッドチップユニット３が積層される。【選択図】  図４
2005278402.tif 000002
【特許請求の範囲】
【請求項１】
板状基材の少なくとも一面にウッドチップ集積層を形成したウッドチップパネルを、連結具により複数連結してウッドチップユニットを構成し、
複数のウッドチップユニットを積層して構成したことを特徴とする壁面緑化用壁。
【請求項２】
前記壁面緑化用壁は、所定間隔だけ離隔して立設された一対の支柱を備え、
前記一対の支柱には、それぞれ対向する面に凹溝が形成されており、
前記複数のウッドチップユニットの左右両端部を、一対の支柱の凹溝に順次嵌装することで、該ウッドチップユニットが積層されることを特徴とする請求項１に記載の壁面緑化用壁。
【請求項３】
前記壁面緑化用壁におけるウッドチップ集積層が形成される面には、
土壌が充填され、植栽がなされた植栽容器が設置されていることを特徴とする請求項１または請求項２に記載の壁面緑化用壁。
【請求項４】
前記壁面緑化用壁は潅水装置を備えており、
該潅水装置は雨量計を備え、雨量計により検出された雨量に応じて、植栽された植物への潅水量を制御することを特徴とする請求項３に記載の壁面緑化用壁。
【請求項５】
前記支柱の凹溝における、ウッドチップユニットの厚み方向の寸法は、ウッドチップユニットの厚み寸法よりも大きく構成され、
ウッドチップユニットが嵌装された凹溝の、ウッドチップユニットの厚み方向に形成される隙間には、ウッドチップユニットを該ウッドチップユニットの厚み方向に押圧する弾性部材が介装されることを特徴とする請求項２〜請求項４の何れかに記載の壁面緑化用壁。
【請求項６】
板状部材の少なくとも一面に、細かく粉砕加工されたウッドチップ材にウレタン樹脂系バインダを混合した流動性混合物を吹き付けてウッドチップ集積層を形成し、
板状部材のウッドチップ集積層形成面に、土壌が充填され、植栽がなされた植栽容器を設置し、
雨量計を具備した潅水装置を備えて、該潅水装置により、植栽された植物への潅水量を、雨量計により検出された雨量に応じて制御する、
ことを特徴とする壁面緑化用壁。
【請求項７】
板状基材の少なくとも一面にウッドチップ集積層を形成したウッドチップパネルを、連結具により複数連結してウッドチップユニットを構成する工程と、
上端部から下端部にかけて凹溝が形成された一対の支柱を、各支柱の凹溝が対向するように所定の間隔を設けて立設する工程と、
複数のウッドチップユニットを、一対の支柱の凹溝に順次嵌装する工程と、
を備えることを特徴とする壁面緑化用壁の施工方法。
【発明の詳細な説明】
【技術分野】
【０００１】
本発明は、ウッドチップパネルを連結具により複数連結して構成したウッドチップユニットを複数積層することで構成される、壁面緑化用壁およびその施工方法に関する。
【背景技術】
【０００２】
従来から、表層がコンクリート面やモルタル面や鋼板面等で構成される壁面は、そのままでは緑化することが困難であるため、これらの壁面をウッドチップにて被覆し、ウッドチップ集積層の上に植物育成層を形成して、壁面を緑化することが行われている（特許文献１参照）。
特許文献１における被覆方法では、壁面のウッドチップによる被覆を、ウッドチップと接着材とを混合した流動性混合物を、コンクリート面や鋼板面等の壁面上に塗工し、塗工した流動性混合物を硬化させることにより行っている。
【０００３】
また、ウッドチップと接着材とを混合した流動性混合物を予め板状に硬化させ、硬化させたウッドチップ集積板を、コンクリートや鋼板等で構成される遮音壁等の壁に接着剤や固定金具にて取り付けることも行われている。
【０００４】
【特許文献１】特開２００３−３０６９４２号公報
【発明の開示】
【発明が解決しようとする課題】
【０００５】
しかし、前述のように、予め形成しておいたウッドチップ集積板を、接着剤や固定金具で既存の壁面に取り付ける場合、ウッドチップ集積板を接着剤や固定金具にて一枚一枚取り付けていくのは、現場での施工に手間や時間がかかるものとなっていた。
また、壁の重量を考えた場合、既存の壁面の重量にウッドチップ集積板の重量が加わるので、壁全体の重量が大きくなってしまう。
そこで、本発明では、現場での施工を容易かつ短時間で行うことができるとともに、軽量に構成することができる壁面緑化用壁およびその施工方法を提供するものである。
【課題を解決するための手段】
【０００６】
上記課題を解決する壁面緑化用壁およびその施工方法は、以下の特徴を有する。
即ち、請求項１記載の如く、板状基材の少なくとも一面にウッドチップ集積層を形成したウッドチップパネルを、連結具により複数連結してウッドチップユニットを構成し、
複数のウッドチップユニットを積層して構成した。
これにより、ウッドチップパネルを既存の壁に一枚一枚貼り付けて壁面緑化用壁を構成する場合等に比べて、施工が簡単容易となる。
また、壁面緑化用壁は、積層されたウッドチップユニットのみで構成されることとなるので、壁の重量を低減することができる。
【０００７】
また、請求項２記載の如く、前記壁面緑化用壁は、所定間隔だけ離隔して立設された一対の支柱を備え、前記一対の支柱には、それぞれ対向する面に凹溝が形成されており、前記複数のウッドチップユニットの左右両端部を、一対の支柱の凹溝に順次嵌装することで、該ウッドチップユニットが積層される。
これにより、一対の支柱の間にウッドチップユニットを順次嵌装するだけで壁面緑化用壁を構成することができ、ウッドチップパネルを既存の壁に一枚一枚貼り付けて壁面緑化用壁を構成する場合等に比べて、施工が簡単容易となる。
壁面緑化用壁は、積層されたウッドチップユニットのみで構成されることとなるので、壁の重量を低減することができる。
【０００８】
また、請求項３記載の如く、前記壁面緑化用壁におけるウッドチップ集積層が形成される面には、土壌が充填され、植栽がなされた植栽容器が設置されている。
これにより、壁面緑化用壁のウッドチップ集積層面に沿って植物が成長していき、ウッドチップユニットを積層して構成した壁面緑化用壁を自然に緑化することができる。
【０００９】
また、請求項４記載の如く、前記壁面緑化用壁は潅水装置を備えており、該潅水装置は雨量計を備え、雨量計により検出された雨量に応じて、植栽された植物への潅水量を制御する。
これにより、晴天・雨天にかかわらず、適切な量の水を散水することができ、土壌に余分な水分が溜まることがなく、土壌の腐朽を防止することができる。そして、植栽された植物の適切な成長を促すとともに、水の無駄な消費を抑えることができる。
【００１０】
また、請求項５記載の如く、前記支柱の凹溝における、ウッドチップユニットの厚み方向の寸法は、ウッドチップユニットの厚み寸法よりも大きく構成され、ウッドチップユニットが嵌装された凹溝の、ウッドチップユニットの厚み方向に形成される隙間には、ウッドチップユニットを該ウッドチップユニットの厚み方向に押圧する弾性部材が介装される。
これにより、簡単且つ安価な構造でウッドチップユニットの位置決めを行うことができ、壁面緑化用壁の施工を容易にすることができる。
【００１１】
また、請求項６記載の如く、板状部材の少なくとも一面に、細かく粉砕加工されたウッドチップ材にウレタン樹脂系バインダを混合した流動性混合物を吹き付けてウッドチップ集積層を形成し、板状部材のウッドチップ集積層形成面に、土壌が充填され、植栽がなされた植栽容器を設置し、雨量計を具備した潅水装置を備えて、該潅水装置により、植栽された植物への潅水量を、雨量計により検出された雨量に応じて制御する。
これにより、既存の壁面を基材として利用して壁面緑化用壁を構成することができるので、既存の壁面にウッドチップパネルを一枚一枚貼り付けていくよりも、壁の重量を低減できるとともに、施工の手間・時間を省いて低コスト化を図ることができる。
【００１２】
また、請求項７記載の如く、板状基材の少なくとも一面にウッドチップ集積層を形成したウッドチップパネルを、連結具により複数連結してウッドチップユニットを構成する工程と、上端部から下端部にかけて凹溝が形成された一対の支柱を、各支柱の凹溝が対向するように所定の間隔を設けて立設する工程と、複数のウッドチップユニットを、一対の支柱の凹溝に順次嵌装する工程とを備える。
これにより、一対の支柱の間にウッドチップユニットを順次嵌装するだけで壁面緑化用壁を構成することができ、ウッドチップパネルを既存の壁に一枚一枚貼り付けて壁面緑化用壁を構成する場合等に比べて、施工が簡単容易となる。
【発明の効果】
【００１３】
本発明によれば、壁面緑化用壁の施工が簡単容易となって、施工の手間・時間を省いて低コスト化を図ることができる。また、壁の重量を低減することができる。
【発明を実施するための最良の形態】
【００１４】
次に、本発明を実施するための形態を、添付の図面を用いて説明する。
まず、本発明の壁面緑化用壁を構成するウッドチップパネルについて説明する。
図１に示すように、ウッドチップパネル１は平面視にて略正方形のパネル状に形成されており、基材１aの一面側にはウッドチップ集積層１ｂが形成されている。
【００１５】
基材１ａは、例えば発泡ガラス焼成板にて構成されている。
ウッドチップ集積層１ｂは、ウッドチップと耐候性接着剤とを混合した流動性混合物を基材１ａの一面に塗布した後に、耐候性接着剤を硬化させることで形成される。
ここで、ウッドチップとは、樹木を機械的に小片化したものをいい、樹種や樹皮付きであるか否かは問わない。ウッドチップとしては、地域開発に伴って伐採された樹木、間伐材、河川流木、および建築廃木材等を小片化して得られたものを用いることも可能である。また、耐候性接着剤としては、ウレタン樹脂系接着剤、アクリル樹脂系接着剤、およびエポキシ樹脂系接着剤等を用いることができる。
このように構成されるウッドチップパネル１は、軽量で、透水性、保水性、断熱性および吸音性に優れた特性を有している。
【００１６】
壁面緑化用壁およびその施工方法について説明する。
壁面緑化用壁を施工する際には、まず、図２、図３に示すように、複数のウッドチップパネル１を、連結具であるパネル枠２により連結してウッドチップユニット３を構成する。
具体的には、長尺に形成されるパネル枠２に、複数のウッドチップパネル１を順次嵌装していくことで、複数のウッドチップパネル１が一列に並んだ状態で連結されて、ウッドチップユニット３が構成される。
【００１７】
パネル枠２は、鋼板等の長尺の板状部材を屈曲して形成されており、基部２ａと、基部２ａにおける短手方向の両端部を同一方向へ直角に屈曲して形成されるガイド部２ｂと、ガイド部２ｂの先端部を内側に屈曲して形成される係止部２ｃとで構成されている。
ウッドチップパネル１は、パネル枠２の左右端部からスライドさせることでパネル枠２に嵌装され、パネル枠２の係止部２ｃは、ウッドチップパネル１の基材１ａとウッドチップ集積層１ｂとの境界部に食い込むかたちで、ウッドチップパネル１を係止している。
【００１８】
図４、図５に示すように、壁面緑化用壁を施工する現場においては、一対の支柱５・５が立設されている。
支柱５には、上端部から下端部にかけて凹溝５ａが形成されており、一対の支柱５・５は、各支柱５・５の凹溝５ａが対向するように立設されている。
支柱５・５は、ウッドチップユニット３の長手方向の寸法と略同程度の寸法だけ離隔して立設されており、ウッドチップユニット３を上方から両支柱５・５間に差し込むと、ウッドチップユニット３の両端が、それぞれ支柱５・５の凹溝５ａに嵌装されるようになっている。
この一対の支柱５・５の凹溝５ａ・５ａに、複数のウッドチップユニット３を順次嵌装して、ウッドチップユニット３を積層することで、壁面緑化用壁が構成される。
【００１９】
このように、一対の支柱５・５の間にウッドチップユニット３を順次嵌装するだけで壁面緑化用壁を構成することができ、ウッドチップパネル１を既存の壁に一枚一枚貼り付けて壁面緑化用壁を構成する場合等に比べて、施工が簡単容易となる。
壁面緑化用壁は、積層されたウッドチップユニット３のみで構成されることとなるので、壁の重量を低減することができる。
なお、本実施例では、工場等で予めウッドチップパネル１を連結して完成させたウッドチップユニット３を、壁面緑化用壁を施工する現場に搬入するようにして、現場での壁面緑化用壁の施工の手間や時間を減少しているが、施工現場でウッドチップパネル１を連結してウッドチップユニット３を組み立てることも可能である。
【００２０】
図６に示すように、ウッドチップユニット３を積層して構成された壁面緑化用壁における、ウッドチップ集積層１ｂ側の面には、ブラケット７が取り付けられ、該ブラケット７の上には、植栽容器としてのプランター８が設置される。
プランター８内には土壌が充填され、付着性のツル植物や多肉植物等の植物が植栽されている。プランター８内に充填される土壌としては、例えば、多孔質な無機物およびヤシ髄加工品を含有している土壌を用いることが可能である。多孔質な無機物を含有することで、土壌の粒径分布を調整することができ、ヤシ髄加工品といった急速腐朽しない有機物を含有することで、目詰まりの発生を抑えることが可能となっている。
【００２１】
そして、土壌は、安定した透水性、通気性を備えているため植栽された植物の根系育成を促進することができ、さらに、緩反応型高分子保水材と保水マットを併用することで、簡易な散水管理にて植物の維持管理を容易に行うことが可能となる。また、土壌に緩効性肥料を配合することで、肥効を長持ちさせることができる。
【００２２】
図６、図７に示すように、植栽された植物が成長してプランター８の下方まで伸びると、ウッドチップパネル１のウッドチップ集積層１ｂに植物の根が張り、ウッドチップ集積層１ｂ面に沿って植物が成長していく。
このように、植栽したプランター８をウッドチップ集積層１ｂ面に設置しておくことで、ウッドチップ集積層１ｂ面に沿って植物が成長していき、ウッドチップユニット３を積層して構成した壁面緑化用壁を自然に緑化することが可能となっている。
【００２３】
また、図７、図８に示すように、ウッドチップユニット３が嵌装される凹溝５ａにおける、ウッドチップユニット３の厚み方向の寸法ｗは、ウッドチップユニット３の厚み寸法ｔよりも大きく形成されており、該凹溝５ａの、ウッドチップユニット３の厚み方向には隙間ｄが形成されている。
このように、凹溝５ａにおける厚み方向の寸法ｗをウッドチップユニット３の厚み寸法ｔよりも大きく構成することで、ウッドチップユニット３を凹溝５ａに嵌装する際の作業性を向上させている。
【００２４】
そして、この隙間ｄには、支柱５の上端部から下端部にかけて、ウッドチップユニット３の固定金具６を介装している。
固定金具６は、長尺の鋼板等のある程度弾性を備えた板状部材を、平面視略「コ」字状に屈曲して形成されている。固定金具６における基部６ａの短手方向の寸法は、前記隙間ｄの寸法と略同じに構成されており、基部６ａから略直角方向へ延出する取り付け部６ｂは、ボルト等の締結部材によってウッドチップユニット３に取付固定されている。基部６ａの取り付け部６ｂが延出側とは逆側からは押圧部６ｃが延出している。押圧部６ｃは、基部６ａに対する直角方向から若干外側へ屈曲しており、押圧部６ｃの端部と取り付け部６ｂの端部との間隔は前記隙間ｄよりも大きくなっている。
【００２５】
従って、固定金具６を隙間ｄに介装すると、押圧部６ｃがその弾性により、凹溝５ａの壁面をウッドチップユニット３の厚み方向へ押圧することとなる。
つまり、固定金具６を隙間ｄに介装することで、凹部５ａに嵌装したウッドチップユニット３の厚み方向の位置を固定している。
このように、板状部材を屈曲して構成した固定金具６の弾性力により、ウッドチップユニット３を押圧して位置決めするように構成することで、簡単且つ安価な構造でウッドチップユニット３の位置決めを行うことができ、壁面緑化用壁の施工を容易にすることができる。
【００２６】
また、本実施例では、支柱５として、両側に凹溝５ａが形成されたＨ鋼を用いているが、このように両側に凹溝５ａが形成された支柱５を用いることで、少ない支柱５の本数で、左右に連側して壁面緑化用壁を構成することができる。
【００２７】
また、図９、図１０に示すように、本壁面緑化用壁は、プランター８に植栽された植物への散水を自動的に行う潅水装置９を備えている。
潅水装置９は、散水用の水を掻くプランター８へ案内する給水管２２と、プランター８への給水・止水を切り換える電磁弁２３と、電磁弁２３の動作等を制御する制御装置２１と、雨量を検出する雨量計２４と、給水管２２にてプランター８まで案内された水を散水するドリッパー２５とを備えている。
【００２８】
潅水装置９の制御装置２１は、雨量計２４にて検出した雨量に応じてプランター８への散水量を制御しており、散水量の制御は電磁弁２３を制御装置２１により開閉することで行われる。
つまり、雨が降っていないときには散水して土壌の乾燥を防ぎ、雨が降っているときには散水の必要がないので止水するように制御される。
例えば、制御装置２１が、雨が降っていないときには、所定時間毎に所定量の散水を行うように制御し、雨が降っているときには各回の散水時における散水量を少なくしたり、雨が降っている間は散水を行わなかったりする制御が行われる。雨が降っている場合、その雨量に応じて散水間隔や一回の散水での散水量等を変更することも可能である。
なお、本潅水装置９においては、制御装置２１に太陽電池が備えられており、太陽光により作動させることが可能となっている。
【００２９】
このように、潅水装置９の制御装置２１により、植栽された植物への潅水量を、雨量計２４により検出された雨量に応じて制御することで、晴天・雨天にかかわらず、適切な量の水を散水することができ、土壌に余分な水分が溜まることがなく、土壌の腐朽を防止することができる。そして、植栽された植物の適切な成長を促すとともに、水の無駄な消費を抑えることができる。
【００３０】
以上のように、ウッドチップユニット３を積層して構成され、ウッドチップ集積層１ｂ面に植栽されたプランター８を設置し、散水量を雨量に応じて自動制御する潅水装置を備えた壁面緑化用壁は、例えば図１１に示すように、立体駐車場の外壁として構成することが可能である。
これにより、無機質で殺風景になりがちな駐車場の景観を、温かみのある柔らかで優しい景観へと変化させることができる。
【００３１】
また、本発明の壁面緑化用壁は、鋼板等の板状部材にて構成される既存の壁面に構成することもできる。
この場合は、板状部材の少なくとも一面に、細かく粉砕加工されたウッドチップ材にウレタン樹脂系バインダを混合して構成した流動性混合物を吹き付け、このウレタン樹脂系バインダを硬化させることでウッドチップ集積層を形成することができる。
このように、既存の壁面に直接ウッドチップ集積層を形成して、壁面緑化用壁を構成することができる。
【００３２】
既存の壁面に直接ウッドチップ集積層を形成した場合も、前述のウッドチップユニット３を積層して構成した壁面緑化用壁の場合と同様に、ウッドチップ集積層形成面に、土壌が充填され、植栽がなされた植栽容器を設置するとともに、雨量計を具備した潅水装置を備えて、該潅水装置により、植栽された植物への潅水量を、雨量計により検出された雨量に応じて制御するように構成することが可能である。
【００３３】
このように、既存の壁面に直接ウッドチップ集積層を形成して壁面緑化用壁を構成して、壁面を緑化しようとした場合には、既存の壁面を基材として利用して壁面緑化用壁を構成することができるので、既存の壁面にウッドチップパネル１を一枚一枚貼り付けていくよりも、壁の重量を低減できるとともに、施工の手間・時間を省いて低コスト化を図ることができる。
【図面の簡単な説明】
【００３４】
【図１】ウッドチップパネルを示す斜視図である。
【図２】ウッドチップパネルをパネル枠により連結してウッドチップユニットを構成する様子を示す側面図である。
【図３】ウッドチップパネルをパネル枠により連結してウッドチップユニットを構成する様子を示す正面図である。
【図４】ウッドチップユニットを積層して壁面緑化用壁を構成する様子を示す斜視図である。
【図５】ウッドチップユニットを一対の支柱の凹部に嵌装した状態を示す平面図である。
【図６】壁面緑化用壁に植栽がなされたプランターを設置した様子を示す斜視図である。
【図７】壁面緑化用壁に植栽がなされたプランターを設置した様子を示す側面図である。
【図８】支柱の凹部に嵌装されたウッドチップユニットが固定金具により固定された状態を示す平面図である。
【図９】壁面緑化用壁の潅水装置を示す正面図である。
【図１０】潅水装置のドリッパー２５を示す正面断面図である。
【図１１】壁面緑化用壁を立体駐車場の外壁として構成した例を示す斜視図である。
【符号の説明】
【００３５】
１  ウッドチップパネル
１ａ  基材
１ｂ  ウッドチップ集積層
２  パネル枠
３  ウッドチップユニット
５  支柱
５ａ  凹部
６  固定金具
８  プランター
９  潅水装置
【図２】
2005278402.tif 000003
【図３】
2005278402.tif 000004
【図４】
2005278402.tif 000005
【図５】
2005278402.tif 000006
【図６】
2005278402.tif 000007
【図７】
2005278402.tif 000008
【図８】
2005278402.tif 000009
【図９】
2005278402.tif 000010
【図１０】
2005278402.tif 000011
【図１】
2005278402.tif 000012
【図１１】
2005278402.tif 000013